【手続補正書】
【提出日】平成23年5月10日(2011.5.10)
【手続補正１】
【補正対象書類名】明細書
【補正対象項目名】００１３
【補正方法】変更
【補正の内容】
【００１３】
図１は、例示的な実施形態による、例示的なワイヤレス通信システム１００、たとえば、アドホックピアツーピアワイヤレス通信システムの図である。例示的な通信システム１００は、複数のワイヤレス端末（ピアツーピアワイヤレス端末Ａ１  １０２、ピアツーピアワイヤレス端末Ａ２  １０４、ピアツーピアワイヤレス端末Ｂ１  １０８、ピアツーピアワイヤレス端末Ｂ２  １０６、ピアツーピアワイヤレス端末Ｎ−１  １０５、…、ピアツーピアワイヤレス端末Ｎ  １０９）を含む。ワイヤレス端末は、別のワイヤレス端末と接続を確立することができ、時々確立する。ワイヤレス端末のペア間の接続は、１つまたは複数の接続識別子に関連付けられる。図１に示すように、ＷＴ  Ａ１  １０２は、ＷＴ  Ｂ１  １０８との接続１１０を有し、接続１１０は３つの接続識別子（Ｃ１、Ｃ２、Ｃ３）に関連付けられる。ＷＴ  Ａ２  １０４は、ＷＴ  Ｂ２  １０６との接続１１２を有し、接続１１２は、単一の接続識別子（Ｃ４）に関連付けられる。異なる時間において、ワイヤレス端末の異なるペア間で異なる接続が確立され、維持される。接続を有するワイヤレス端末の特定のペアに関連付けられた接続識別子の数は、いくつかの実施形態では、時間とともに変化する。
【手続補正２】
【補正対象書類名】明細書
【補正対象項目名】００２６
【補正方法】変更
【補正の内容】
【００２６】
ステップ３１２において、ＷＴ  Ａは、フルページングインターバル中に、提案されたＣＩＤの生成されたリスト、および、随意に、複数のＣＩＤの所望の使用を示すことができるサービス品質情報を送信する。動作は、ステップ３１２からステップ３１４に進む。
【手続補正３】
【補正対象書類名】明細書
【補正対象項目名】００６１
【補正方法】変更
【補正の内容】
【００６１】
ワイヤレス送信機モジュール７０４、たとえば、ＯＦＤＭ送信機は、通信デバイス７００が他のピアツーピア通信デバイスに信号を送信するための送信アンテナ７１６に結合される。いくつかの実施形態では、受信機と送信機に同じアンテナが使用される。送信信号は、接続利用可能性信号、たとえば、信号７５０、トラフィック送信要求信号、たとえば、信号７６２、およびトラフィック信号、たとえば、信号７６６を含む。
【手続補正４】
【補正対象書類名】明細書
【補正対象項目名】００６３
【補正方法】変更
【補正の内容】
【００６３】
データ／情報は、利用できない接続識別子に対応する複数の検出信号（第１の利用できない接続識別子に対応する検出信号７４４、…、第Ｎの利用できない接続識別子に対応する検出信号７４６）と、判定された未使用の接続識別子のリスト７４８と、生成された利用可能な接続識別子セット信号７５０と、利用可能な接続識別子サブセット情報を搬送する受信信号７５２と、利用可能な接続識別子の回復されたサブセット７５４と、決定された最高優先順位リソース７５６と、選択された接続識別子７５８と、選択された識別子に対応するリソースを識別する情報７６０と、生成されたトラフィック送信要求信号７６２と、受信ＲＸエコー信号７６４と、生成されたトラフィック信号７６６と、を含む。データ／情報７２０はまた、トラフィック送信リソースを接続識別子に関連付ける情報７８２と、タイミング／周波数構造情報７６８と、を含む。タイミング周波数構造情報７６８は、循環タイミング構造における複数のインターバルに対応する情報（スロット１情報７７０、…、スロットＮ情報７７２）を含む。スロット１情報７７０は、接続ＩＤブロードキャストインターバル情報７７４と、接続ＩＤハンドシェーキングインターバル情報７７６と、ＴＸ要求／応答インターバル情報７７８と、トラフィックデータインターバル情報７８０と、を含む。いくつかの実施形態では、スロット１情報７７０は、単一接続ＩＤブロードキャストインターバル／接続ＩＤハンドシェーキングインターバルペアに対応する複数のＴＸ要求／応答／トラフィックデータインターバルセットを識別および／または定義する情報を含む。このようにして確立され、同意された接続ＩＤは、そのような一実施形態では、トラフィックインターバルにおける複数の連続したトラフィックスロットに使用される。
【手続補正５】
【補正対象書類名】明細書
【補正対象項目名】００７５
【補正方法】変更
【補正の内容】
【００７５】
この例では、互いの存在を認識しているＷＴ１  ８０２とＷＴ６  ８１２は、点線８３０によって表される接続を確立したいと所望する。図示８５０は、接続識別子または接続に使用されるべき識別子について同意に達するために実行される様々な動作を示す。軸８５１は時間を示す。接続識別子ブロードキャストインターバル中に、ＷＴ１  ８０２とＷＴ６  ８１２の両方は、接続識別子を監視しており、検出された接続識別子を識別する。ＷＴ１およびＷＴ６は、異なる場所にあるので、使用中に異なる接続識別子を検出することができる。本実施形態では、割り当てることができる２５６個の異なる接続識別子のセットが存在する。ＷＴ１およびＷＴ６は、それぞれ、それらの観点から未使用の接続識別子のリストを形成する。ブロック８５２は、ＷＴ１の未使用の接続リストがＣ３、Ｃ５、およびＣ６〜Ｃ２５６であることを示す。ブロック８５４は、ＷＴ６の未使用の接続リストがＣ１、Ｃ３、およびＣ６〜Ｃ２５６であることを示す。この例では、たまたまＷＴ１が、ＷＴ６に対する接続要求を開始し、提案された接続リストを形成し、その提案されたリストとサービス品質情報とを通信する信号を生成し、その生成された信号をＷＴ６に通信する。サービス品質情報は、接続に割り当てられるべき接続識別子の数を導出するために使用される。ブロック８５６は、ＷＴ１の提案された接続リストがＣ３、Ｃ５、Ｃ６、Ｃ７、Ｃ８であり、ＱｏＳ情報が、ＷＴ１は３つの接続識別子を割り当てて欲しいことを示しているのを示す。ＷＴ６は、使用されるべき接続識別子の提案されたリストとサービス品質情報とを搬送している信号を受信し、その受信信号を処理する。ＷＴ６は、提案されたリストから、その未使用の接続リスト８５４中にも含まれている３つの接続識別子を選択する。ＷＴ６は、接続に使用されるべき接続識別子の選択されたリストを通信する応答信号を生成し、その信号をＷＴ１に送信する。ブロック８５８は、選択された接続リストがＣ３、Ｃ６、およびＣ７を含むことを示す。ＷＴ１は、提案された接続識別子のリストを受信する。
【手続補正６】
【補正対象書類名】明細書
【補正対象項目名】００９７
【補正方法】変更
【補正の内容】
【００９７】
トラフィックデータシグナリングモジュール１０４３は、トラフィック信号、たとえば、ピアツーピアトラフィック信号を生成し、以前に送信され、肯定的な通信要求応答信号が受信された送信済み要求信号に対応する適切なトラフィックセグメントリソース上で、生成されたトラフィック信号を送信するようにワイヤレス送信機モジュール１００４を制御する。トラフィックデータシグナリングモジュール１０４３はまた、以前に肯定の通信要求応答信号を送信した、受信した通信要求に対応するトラフィックセグメントリソース上でトラフィック信号を受信し、次いで、通信デバイス１０００に向けられた受信信号、たとえば、ピアツーピアトラフィック信号からトラフィックデータを回復するように、受信モジュール１００２をも制御する。
【手続補正７】
【補正対象書類名】明細書
【補正対象項目名】０１０５
【補正方法】変更
【補正の内容】
【０１０５】
接続識別子選択モジュール１２２６は、ランダム選択モジュール１２３５と、最高優先順位選択モジュール１２３６と、下位優先順位選択モジュール１２３７と、を含む。選択モジュール（１２３５、１２３６、１２３７）のセットのうちの異なるタイプが、たとえば、様々な入力条件により、異なる時間に、特定のトラフィックセグメントのための選択を行うために使用される。
【手続補正８】
【補正対象書類名】明細書
【補正対象項目名】０１０６
【補正方法】変更
【補正の内容】
【０１０６】
データ／情報１２２０は、循環タイミング構造中のトラフィックセグメント（トラフィックセグメント１情報１２３８、…、トラフィックセグメントＫ情報１２３９）と、判断された、送信されるべきトラフィックの量１２４０と、判断された、情報を送信されるべきトラフィックのタイプ１２４２と、判断された待ち時間要件１２４４と、獲得された接続識別子のリスト１２４６と、選択された接続識別子１２４８と、識別された要求リソース１２５０と、生成されたトラフィック送信要求信号１２５２と、に関係する情報の複数のセットを含む。
【手続補正９】
【補正対象書類名】明細書
【補正対象項目名】０１０７
【補正方法】変更
【補正の内容】
【０１０７】
トラフィックセグメント１情報１２３８は、識別子のセット（識別子１  １２５４、…、識別子ｎ  １２５６）と、それぞれ識別子に対応するリソース情報（識別子１要求リソース情報１２５８、…、識別子Ｎ要求リソース情報１２６０）と、それぞれ対応する識別子優先順位情報（識別子１優先順位情報１２６２、…、識別子ｎ優先順位情報１２６４）と、トラフィックセグメント１リソース情報１２６６と、を含む。トラフィックセグメントＫ情報１２３９は、識別子のセット（識別子１  １２５４、…、識別子ｎ  １２５６）と、それぞれ識別子に対応するリソース情報（識別子１要求リソース情報１２６８、…、識別子Ｎ要求リソース情報１２７０）と、それぞれ対応する識別子優先順位情報（識別子１優先順位情報１２７２、…、識別子ｎ優先順位情報１２７４）と、トラフィックセグメントＫリソース情報１２７６と、を含む。いくつかの実施形態では、特定の識別子に関連する優先順位は、異なるセグメント間で変化する。たとえば、情報１２６２によって識別される優先順位は、情報１２７２によって識別される優先順位とは異なる可能性があり、情報１２６４によって識別される優先順位は、情報１２７４によって識別される優先順位とは異なる可能性がある。いくつかのそのような実施形態では、それぞれ個々の接続識別子に関連する平均優先順位は、たとえば、循環タイミング構造の１回の反復に対してほぼ同じである。したがって、そのような一実施形態では、長期的に別の接続識別子よりも有利であるコネクタ識別子はない。いくつかの他の実施形態では、接続識別子に関連する優先順位は、循環タイミング構造中のトラフィックセグメントにわたって同じままである。たとえば、情報１２６２によって示される優先順位は、情報１２７２によって示される優先順位と同じであり、情報１２６４によって示される優先順位は、情報１２７４によって示される優先順位と同じである。
【手続補正１０】
【補正対象書類名】明細書
【補正対象項目名】０１１２
【補正方法】変更
【補正の内容】
【０１１２】
トラフィックタイプ判断モジュール１２３２は、所与の時点で送信されるべきトラフィックのタイプを判断する。判断された送信されるべきトラフィックのタイプ１２４２は、モジュール１２３２の出力であり、モジュール１２２６によって入力として使用される。接続識別子選択モジュール１２２６は、所与の時点で送信されるべきトラフィックのタイプに基づいて、時々接続識別子を選択する。様々な実施形態では、トラフィックタイプ判断モジュール１２３２は、トラフィックを、非ボイスデータとボイスデータとを含むカテゴリに分類し、接続識別子選択モジュール１２２６は、非ボイスデータが送信さるべきとき、獲得された接続識別子のリストから、ボイスデータが送信されるべきときよりも低い優先順位を有する接続識別子を選択する。そのような例では、接続識別子選択モジュール１２２６は、選択を行うために、その下位優先順位選択モジュール１２３７を使用する。
【手続補正１１】
【補正対象書類名】明細書
【補正対象項目名】０１１３
【補正方法】変更
【補正の内容】
【０１１３】
いくつかの実施形態では、たとえば、当該のトラフィックセグメントにおいて、非ボイスデータのみが送信されるべきとき、獲得された接続識別子のリストの中から接続識別子がランダムに選択される。そのような例では、接続識別子選択モジュール１２２６のランダム選択モジュール１２３４が選択を行うために使用される。
【手続補正１２】
【補正対象書類名】明細書
【補正対象項目名】０１１６
【補正方法】変更
【補正の内容】
【０１１６】
いくつかの実施形態では、当該のトラフィックセグメントにおいてボイスデータが通信されるべきであるが、待ち時間要件は即時の送信を必要としないことを示すとき、接続識別子選択モジュール１２２６は、情報１２４６によって識別されたように、通信デバイスに割り当てられた別の接続識別子よりも低い優先順位を有する接続識別子を選択するために、下位優先順位選択モジュール１２３７を使用する。したがって、そのような状況では、優先順位の低い接続識別子を選択することによって、通信デバイス１２００は、トラフィックセグメントを使用することができるだろう可能性を意図的に低減している。ただし、このことは、別の接続、たとえばより緊急の接続がトラフィックセグメントを使用できる可能性を高くする。
【手続補正１３】
【補正対象書類名】明細書
【補正対象項目名】０１１７
【補正方法】変更
【補正の内容】
【０１１７】
トラフィックデータシグナリングモジュール１２３４は、トラフィック信号、たとえば、ピアツーピアトラフィック信号を生成し、以前に送信され、肯定的な通信要求応答信号が受信された送信済み要求信号に対応する適切なトラフィックセグメントリソース上で、生成されたトラフィック信号を送信するようにワイヤレス送信機モジュール１２０４を制御する。トラフィックデータシグナリングモジュール１２３４はまた、以前に肯定の通信要求応答信号を送信した、受信した通信要求に対応するトラフィックセグメントリソース上でトラフィック信号を受信し、次いで、通信デバイス１２０２に向けられた受信信号、たとえば、ピアツーピアトラフィック信号からトラフィックデータを回復するように、受信モジュール１２００をも制御する。
【手続補正１４】
【補正対象書類名】明細書
【補正対象項目名】０１２４
【補正方法】変更
【補正の内容】
【０１２４】
継続的に実行されるステップ１３５２において、通信デバイスは、トラフィック待ち時間情報を判断する。判断された待ち時間情報１３５４は、たとえば、送信されるべき遅延敏感トラフィックが送信待ち行列中にどれくらい長く存在するかを示す情報、および／または送信されるのを待機している遅延敏感なトラフィックが廃棄されるまでに残っている時間を示す情報である。判断された待ち時間情報１３５４は、ステップ１３５２の出力であり、ステップ１３０８への入力である。いくつかの実施形態では、送信されるべき所与の量のデータに対して、厳しい待ち時間要件の期間中は、低待ち時間要件の期間中よりも多くの識別子が獲得される。
【手続補正１５】
【補正対象書類名】明細書
【補正対象項目名】０１４５
【補正方法】変更
【補正の内容】
【０１４５】
上記の説明に鑑みて、上述の様々な実施形態の方法および装置に関する多数の追加の変形形態が当業者には明らかであろう。そのような変形形態は、範囲内に入るべきであると考えるべきである。本方法および本装置は、ＣＤＭＡ、直交周波数分割多重（ＯＦＤＭ）、および／またはアクセスノードとモバイルノードとの間のワイヤレス通信リンクを与えるために使用される様々な他のタイプの通信技法とともに使用されることができ、様々な実施形態において使用される。いくつかの実施形態では、アクセスノードは、ＯＦＤＭおよび／またはＣＤＭＡを使用してモバイルノードとの通信リンクを確立する基地局として実装される。様々な実施形態では、モバイルノードは、本方法を実施するための、受信機／送信機回路ならびに論理および／またはルーチンを含む、ノートブックコンピュータ、個人情報端末（ＰＤＡ）、または他の携帯デバイスとして実装される。
以下に、本願出願の当初の特許請求の範囲に記載された発明を付記する。
（１）  通信デバイスを動作させる方法であって、
ｉ）同じ識別子のセットが複数のトラフィック送信リソースの各々に対応する識別子のセットと時間とともに循環する複数のトラフィック送信リソースの各々との間の対応と、
ｉｉ）個々のトラフィック送信リソースに関する前記識別子の相対的な優先順位と、
を示す情報であって、個々の識別子の優先順位の時間による変化を示す情報を記憶することと、
前記通信デバイスに対応する前記接続識別子のうちの１つ、に対応する信号を送信することと、
を備える方法。
（２）  前記信号は、通信要求信号である、（１）に記載の方法。
（３）  前記通信要求信号は、前記通信要求信号が送信された要求リソースに対応する前記トラフィック送信リソースを使用して通信することの要求である、（２）に記載の方法。
（４）  前記要求リソースは、前記接続識別子のうちの前記１つに専用のリソースである、（３）に記載の方法。
（５）  時間による複数の異なる個々の識別子に与えられた平均優先順位がほぼ同じである、（２）に記載の方法。
（６）  前記信号を送信することの前に、複数の識別子を使用する権利を獲得することをさらに備える、（５）に記載の方法。
（７）  複数の識別子を使用する権利を獲得することは、異なる時点で異なる数の識別子を獲得することを含む、（６）に記載の方法。
（８）  トラフィック送信ニーズの増加に応答して追加の識別子を獲得すること、
をさらに備える、（７）に記載の方法。
（９）  トラフィック送信ニーズの低下に応答して、前記獲得した追加の識別子を放棄すること、
をさらに備える、（８）に記載の方法。
（１０）  現在のローカルトラフィック負荷に応じて、獲得されるべき識別子の数を判断すること、
をさらに備える、（９）に記載の方法。
（１１）  送信されるべき所与の量のデータに対して、高トラフィック負荷期間中に低トラフィック負荷期間中よりも多くの識別子が獲得され、高トラフィック負荷期間中にローカルエリアにおいて送信されるデータの総量は、低トラフィック負荷期間中よりも多い、（１０）に記載の方法。
（１２）  送信されるべき所与の量のデータに対して、より厳しい待ち時間要件の期間に低い待ち時間要件の期間よりも多くの識別子が獲得される、（１０）に記載の方法。
（１３）  データが送信されるべきとき、送信されるべきトラフィックデータのタイプに応じて、獲得されるべき識別子の数を識別すること、
をさらに備える、（７）に記載の方法。
（１４）
ｉ）同じ識別子のセットが複数のトラフィック送信リソースの各々に対応する識別子のセットと時間とともに循環する複数のトラフィック送信リソースの各々との間の対応と、
ｉｉ）個々のトラフィック送信リソースに関する前記識別子の相対的な優先順位と、
を示す記憶された情報であって、個々の識別子の優先順位の時間による変化を示す情報を含むメモリと、
前記通信デバイスに対応する前記接続識別子のうちの１つ、に対応する信号を送信するためのワイヤレス送信機モジュールと、
を備える通信デバイス。
（１５）  前記信号は、通信要求信号である、（１４）に記載の通信デバイス。
（１６）  前記通信要求信号は、前記通信要求信号が送信された要求リソースに対応する前記トラフィック送信リソースを使用して通信することの要求であり、前記通信デバイスは、
前記通信要求信号を生成するための要求信号生成モジュールと、
前記通信要求信号が送信されるべきである前記要求リソースを識別するための要求リソース識別モジュールと、
をさらに備える、（１５）に記載の通信デバイス。
（１７）  前記要求リソースは、前記接続識別子のうちの前記１つに専用のリソースである、（１６）に記載の通信デバイス。
（１８）  時間による複数の異なる個々の識別子に与えられた平均優先順位がほぼ同じである、（１５）に記載の通信デバイス。
（１９）  複数の識別子を使用する権利を獲得するための識別子獲得モジュールをさらに備え、
前記識別子獲得モジュールは、複数の識別子を使用する権利を獲得することをサポートする、（１８）に記載の通信デバイス。
（２０）  前記識別子獲得モジュールは、異なる時点で異なる数の識別子を使用する権利を獲得することをサポートする、（１９）に記載の通信デバイス。
（２１）  前記通信デバイスのトラフィック送信ニーズを判断するためのトラフィック送信要件モジュールをさらに備え、前記識別子獲得モジュールが、
トラフィック送信ニーズの増加に応答して追加の識別子を獲得するための識別子アドオンモジュールを含む、（２０）に記載の通信デバイス。
（２２）  前記識別子獲得モジュールは、
トラフィック送信ニーズの低下に応答して、獲得した識別子を放棄するための識別子放棄モジュール、
をさらに備える、（２１）に記載の通信デバイス。
（２３）  現在のローカルトラフィック負荷を判断するためのトラフィック負荷モジュールをさらに備え、
前記識別子獲得モジュールは、現在のローカルトラフィック負荷に応じて、獲得されるべき識別子の数を判断する、（２２）に記載の通信デバイス。
（２４）  送信されるべき所与の量のデータに対して、高トラフィック負荷期間中に低トラフィック負荷期間中よりも多くの識別子が獲得され、高トラフィック負荷期間中にローカルエリアにおいて送信されるデータの総量は、低トラフィック負荷期間中よりも多い、（２３）に記載の通信デバイス。
（２５）  送信されるべき所与の量のデータに対して、より厳しい待ち時間要件の期間に低い待ち時間要件の期間よりも多くの識別子が獲得される、（２３）に記載の通信デバイス。
（２６）  送信されるべきトラフィックデータの前記タイプを判断するためのトラフィックデータタイプ判断モジュールをさらに備え、
前記識別子獲得モジュールは、送信されるべきトラフィックデータの前記タイプに応じて、獲得すべき識別子の数を判断する、（２０）に記載の通信デバイス。
（２７）    ｉ）同じ識別子のセットが複数のトラフィック送信リソースの各々に対応する識別子のセットと時間とともに循環する複数のトラフィック送信リソースの各々との間の対応と、
ｉｉ）個々のトラフィック送信リソースに関する前記識別子の相対的な優先順位と、
を示す記憶された情報であって、個々の識別子の優先順位の時間による変化を示す情報を含む記憶手段と、
前記通信デバイスに対応する前記接続識別子のうちの１つ、に対応する信号を送信するためのワイヤレス送信機手段と、
を備える通信デバイス。
（２８）  前記信号は、通信要求信号である、（２７）に記載の通信デバイス。
（２９）  前記通信要求信号は、前記通信要求信号が送信された要求リソースに対応する前記トラフィック送信リソースを使用して通信することの要求であり、前記通信デバイスは、
前記通信要求信号を生成するための要求信号生成手段と、
前記通信要求信号が送信されるべきである前記要求リソースを識別するための要求リソース識別手段と、
をさらに備える、（２８）に記載の通信デバイス。
（３０）  前記要求リソースは、前記接続識別子のうちの前記１つに専用のリソースである、（２９）に記載の通信デバイス。
（３１）  時間による複数の異なる個々の識別子に与えられた平均優先順位がほぼ同じである、（２８）に記載の通信デバイス。
（３２）  通信デバイスで使用するためのコンピュータプログラム製品であって、
ｉ）同じ識別子のセットが複数のトラフィック送信リソースの各々に対応する識別子のセットと時間とともに循環する複数のトラフィック送信リソースの各々との間の対応と、
ｉｉ）個々のトラフィック送信リソースに関する前記識別子の相対的な優先順位と、
を示す情報であって、個々の識別子の優先順位の時間による変化を示す情報を記憶することをコンピュータに行わせるためのコードと、
前記通信デバイスに対応する前記接続識別子のうちの１つ、に対応する信号を送信することをコンピュータに行わせるためのコードと、
を備えるコンピュータ可読媒体、
を備えるコンピュータプログラム製品。
（３３）  前記信号は、通信要求信号である、（３２）に記載のコンピュータプログラム製品。
（３４）  前記通信要求信号は、前記通信要求信号が送信された要求リソースに対応する前記トラフィック送信リソースを使用して通信することの要求である、（３３）に記載のコンピュータプログラム製品。
（３５）  前記要求リソースは、前記接続識別子のうちの前記１つに専用のリソースである、（３４）に記載のコンピュータプログラム製品。
（３６）  時間による複数の異なる個々の識別子に与えられた平均優先順位がほぼ同じである、（３３）に記載のコンピュータプログラム製品。
（３７）      ｉ）同じ識別子のセットが複数のトラフィック送信リソースの各々に対応する識別子のセットと時間とともに循環する複数のトラフィック送信リソースの各々との間の対応と、
ｉｉ）個々のトラフィック送信リソースに関する前記識別子の相対的な優先順位と、
を示す情報であって、個々の識別子の優先順位の時間による変化を示す情報を記憶し、
前記通信デバイスに対応する前記接続識別子のうちの１つ、に対応する信号を送信する、
ように通信デバイスを制御するように構成されたプロセッサ、
を備える装置。
（３８）  前記信号は、通信要求信号である、（３７）に記載の装置。
（３９）  前記通信要求信号は、前記通信要求信号が送信された要求リソースに対応する前記トラフィック送信リソースを使用して通信することの要求である、（３８）に記載の装置。
（４０）  前記要求リソースは、前記接続識別子のうちの前記１つに専用のリソースである、（３９）に記載の装置。
（４１）  時間による複数の異なる個々の識別子に与えられた平均優先順位がほぼ同じである、（３８）に記載の装置。
【手続補正１６】
【補正対象書類名】特許請求の範囲
【補正対象項目名】請求項３２
【補正方法】変更
【補正の内容】
【請求項３２】
通信デバイスで使用するためのコンピュータプログラムであって、
ｉ）同じ識別子のセットが複数のトラフィック送信リソースの各々に対応する識別子のセットと時間とともに循環する複数のトラフィック送信リソースの各々との間の対応と、
ｉｉ）個々のトラフィック送信リソースに関する前記識別子の相対的な優先順位と、
を示す情報であって、個々の識別子の優先順位の時間による変化を示す情報を記憶することをコンピュータに行わせるためのコードと、
前記通信デバイスに対応する前記接続識別子のうちの１つ、に対応する信号を送信することをコンピュータに行わせるためのコードと、
を備えるコンピュータプログラム。
【手続補正１７】
【補正対象書類名】特許請求の範囲
【補正対象項目名】請求項３３
【補正方法】変更
【補正の内容】
【請求項３３】
前記信号は、通信要求信号である、請求項３２に記載のコンピュータプログラム。
【手続補正１８】
【補正対象書類名】特許請求の範囲
【補正対象項目名】請求項３４
【補正方法】変更
【補正の内容】
【請求項３４】
前記通信要求信号は、前記通信要求信号が送信された要求リソースに対応する前記トラフィック送信リソースを使用して通信することの要求である、請求項３３に記載のコンピュータプログラム。
【手続補正１９】
【補正対象書類名】特許請求の範囲
【補正対象項目名】請求項３５
【補正方法】変更
【補正の内容】
【請求項３５】
前記要求リソースは、前記接続識別子のうちの前記１つに専用のリソースである、請求項３４に記載のコンピュータプログラム。
【手続補正２０】
【補正対象書類名】特許請求の範囲
【補正対象項目名】請求項３６
【補正方法】変更
【補正の内容】
【請求項３６】
時間による複数の異なる個々の識別子に与えられた平均優先順位がほぼ同じである、請求項３３に記載のコンピュータプログラム。
【手続補正２１】
【補正対象書類名】図面
【補正対象項目名】図１２
【補正方法】変更
【補正の内容】
【図１２】
2011518463.tif 000001
【手続補正２２】
【補正対象書類名】図面
【補正対象項目名】図１６
【補正方法】変更
【補正の内容】
【図１６】
2011518463.tif 000002